(57)【要約】【課題】管理端末装置１とソフトウエア無線機４と通信端末装置Ａ１〜Ａ３を有する無線通信システムで、適切な無線機情報を決定する。【解決手段】管理端末装置の通信方式設定手段がソフトウエア無線機に対して無線通信方式の情報を設定し、ソフトウエア無線機の無線通信手段が設定された無線通信方式の情報を使用して外部の装置と無線通信し、通信端末装置の通信手段がソフトウエア無線機による無線通信を介して通信する。通信状況検出手段１、３２がソフトウエア無線機による無線通信における通信状況の情報を検出し、通信履歴記憶手段４１がソフトウエア無線機による無線通信で使用された無線通信方式の情報及び検出された通信状況の情報を含む通信履歴情報を記憶し、検索手段１が通信履歴情報を検索し、検索結果処理手段１が検索結果に基づいて無線通信方式の情報に関する所定の処理を行う。【選択図】  図１
2009005063.tif 000002
【特許請求の範囲】
【請求項１】
管理端末装置と、ソフトウエア無線機と、通信端末装置を有する無線通信システムにおいて、
前記管理端末装置は、前記ソフトウエア無線機に対して無線通信方式の情報を設定する通信方式設定手段を備え、
前記ソフトウエア無線機は、前記管理端末装置により設定された無線通信方式の情報を使用して外部の装置と無線により通信する無線通信手段を備え、
前記通信端末装置は、前記ソフトウエア無線機による無線通信を介して通信する通信手段を備え、
更に、当該無線通信システムは、前記ソフトウエア無線機により行われる無線通信における通信状況の情報を検出する通信状況検出手段と、
前記ソフトウエア無線機により行われた無線通信で使用された無線通信方式の情報及び前記通信状況検出手段により検出された通信状況の情報を含む通信履歴情報を記憶する通信履歴記憶手段と、
前記通信履歴記憶手段に記憶された通信履歴情報を検索する検索手段と、
前記検索手段による検索結果に基づいて無線通信方式の情報に関する所定の処理を行う検索結果処理手段と、を備えた、
ことを特徴とする無線通信システム。
【発明の詳細な説明】
【技術分野】
【０００１】
本発明は、無線通信システムに関し、特に、適切な無線機情報を決定することができる無線通信システムに関する。
【背景技術】
【０００２】
図１１には、無線通信システムの構成例を示してある。
なお、後述する本発明の実施例に係る図１に示される構成部と概略的に同様なものについては同一の符号を付して詳しい説明を省略するが、これにより本発明を不要に限定する意図は無い。
図１１に示される無線通信システムは、管理端末装置１と、メールサーバ２と、通信ソフトウエアサーバ３と、ソフトウエア無線機４と、通信端末装置Ａ１〜Ａ３がＬＡＮ（Ｌｏｃａｌ  Ａｒｅａ  Ｎｅｔｗｏｒｋ）７を介して接続されて構成されている。ソフトウエア無線機４は、電力増幅器５及びアンテナ６を備えている。
なお、特に、本例の無線通信システムには、図１に示される通信履歴サーバ３１や他のシステム３２や、これらに関する機能については、備えられていない。
【０００３】
【特許文献１】国際公開第２００６／１２６５５８号パンフレット
【発明の開示】
【発明が解決しようとする課題】
【０００４】
しかしながら、図１１に示されるような無線通信システムでは、無線機情報を決定する場合に、情報や知識を基にして操作する人（例えば、管理端末装置１を操作する人）の経験により判断を行っており、このため、情報や知識や経験の差により判断が左右されることから、例えば、経験などが不足している人では適切な無線機情報を決定することができないといった問題があった。一例として、複数の拠点がある中で一部の拠点だけで通信したいようなときに、いずれの無線機情報を使用するのがよいかなどを決定することが難しかった。
ここで、情報としては、例えば、拠点の位置、季節、天候、ダクト（異常伝搬）などに関する情報がある。知識としては、例えば、電波伝搬理論などがある。判断のための経験としては、例えば、周波数の決定や、送信出力の決定などに関する経験がある。
【０００５】
本発明は、このような従来の事情に鑑み為されたもので、例えば無線機情報を決定するための経験などが豊富な人がいなくとも、適切な無線機情報を決定することができる無線通信システムを提供することを目的とする。
【課題を解決するための手段】
【０００６】
上記目的を達成するため、本発明では、管理端末装置と、ソフトウエア無線機と、通信端末装置を有する無線通信システムにおいて、次のような構成とした。
すなわち、前記管理端末装置では、通信方式設定手段が、前記ソフトウエア無線機に対して、無線通信方式の情報を設定する。
前記ソフトウエア無線機では、無線通信手段が、前記管理端末装置により設定された無線通信方式の情報を使用して、外部の装置と無線により通信する。
前記通信端末装置では、通信手段が、前記ソフトウエア無線機による無線通信を介して通信する。
【０００７】
更に、当該無線通信システムでは、通信状況検出手段が、前記ソフトウエア無線機により行われる無線通信における通信状況の情報を検出する。通信履歴記憶手段が、前記ソフトウエア無線機により行われた無線通信で使用された無線通信方式の情報及び前記通信状況検出手段により検出された通信状況の情報を含む通信履歴情報を記憶する。検索手段が、前記通信履歴記憶手段に記憶された通信履歴情報を検索する。検索結果処理手段が、前記検索手段による検索結果に基づいて、無線通信方式の情報に関する所定の処理を行う。
【０００８】
従って、過去に行われた無線通信における無線通信方式及び通信状況が通信履歴として記憶され、通信履歴を検索した結果を利用することができるため、例えば、無線通信方式の情報（無線機情報）を決定するための経験などが豊富な人がいなくとも、適切な無線通信方式の情報（無線機情報）を容易に決定することができる。
【０００９】
ここで、無線通信システムには、例えば、通信端末装置とソフトウエア無線機との間でメールのデータを中継するメールサーバや、ソフトウエア無線機に対して通信ソフトウエアを供給する通信ソフトウエアサーバなどが設けられてもよい。
また、無線通信システムに設けられる各装置の数としては、それぞれ、種々な数が用いられてもよい。
【００１０】
また、無線通信方式の情報としては、種々な情報が用いられてもよく、例えば、名称（無線名）、メディア等（運用方式）、バンド、周波数、変調方式、送信出力（レベル）などの情報を用いることができる。
また、例えば、ソフトウエア無線機に複数のチャネルが設けられて、各チャネル毎に無線通信方式の情報が設定される構成が用いられてもよい。また、無線通信方式の情報が切り替え可能に設定されてもよい。
また、通信相手となる外部の装置としては、種々なものが用いられてもよく、例えば、他の拠点のシステムに設けられた無線機（例えば、ソフトウエア無線機）などを用いることができる。
【００１１】
また、通信状況の情報としては、種々なものが用いられてもよく、例えば、日付、時刻、自己の位置（拠点位置）、通信相手の位置（相手位置）、気象、ダクト、通信状態（例えば、良好、不良など）などの情報を用いることができる。
また、記憶手段としては、例えば、メモリを用いて構成することができる。
【００１２】
また、検索としては、種々なものが用いられてもよく、例えば、キーを用いて該当する情報を検索する態様や、或いは、記憶された全ての情報を検索により検出する態様などを用いることができる。
なお、検索のキーとしては、種々なものが用いられてもよく、例えば、これから通信を行おうとする場合に、そのときの通信状況と同じ情報や、そのときの通信状況に近似する情報を用いると、そのときの通信状況と同じ或いは近似する過去の通信状況における通信履歴情報を検索することができて、好ましい。
【００１３】
また、通信履歴情報の検索結果に基づいて行われる無線通信方式の情報に関する所定の処理としては、種々な処理が用いられてもよい。
例えば、通信履歴情報の検索結果をユーザ（人）に対して表示し、検索結果を参照したユーザにより新規に無線通信方式の情報を作成する操作を受け付ける処理や、ユーザにより検索結果の一部又は全部を使用して（例えば、書き換えて）無線通信方式の情報を作成する操作を受け付ける処理や、検索結果の一部又は全部をそのまま無線通信方式の情報としてユーザにより指定（選択）する操作を受け付ける処理などを用いることができる。
また、例えば、任意の装置（例えば、管理端末装置や通信端末装置など）が、予め設定された条件に従って、検索結果の中から適した（例えば、通信状態が良好であった）無線通信方式の情報を所定の数だけ選択する処理などを用いることができる。なお、所定の数としては、１つ以上の数を用いることができ、２つ以上である場合には例えば通信状態が良好な方から所定の数だけ通信履歴情報（無線通信方式の情報）を選択する。
【００１４】
また、無線通信方式の情報は、例えば、人による操作に応じて又は装置（例えば、管理端末装置や通信端末装置など）により自動的に、管理端末装置のメモリに記憶されて設定され、また、管理端末装置からの制御によりソフトウエア無線機に設定され、或いは、管理端末装置を介さずに、通信端末装置などから直接的にソフトウエア無線機に設定される。
【００１５】
また、通信状況検出手段や、通信履歴記憶手段や、検索手段や、検索結果処理手段としては、それぞれ、任意の装置に備えられてもよく、例えば、管理端末装置や通信端末装置に備えられてもよく、或いは、無線通信システムに別の装置が設けられてその別の装置に備えられてもよい。
【発明の効果】
【００１６】
以上説明したように、本発明に係る無線通信システムによると、過去に行われた無線通信における無線通信方式及び通信状況が通信履歴として記憶され、通信履歴を検索した結果を利用することができるため、例えば、無線通信方式の情報（無線機情報）を決定するための経験などが豊富な人がいなくとも、適切な無線通信方式の情報（無線機情報）を容易に決定することができる。
【発明を実施するための最良の形態】
【００１７】
本発明に係る一実施例を図面を参照して説明する。
図１には、本発明の一実施例に係る無線通信システムの構成例を示してある。
本例の無線通信システムは、管理端末装置１と、メールサーバ２と、通信ソフトウエアサーバ３と、ソフトウエア無線機４と、複数の通信端末装置Ａ１〜Ａ３と、これらを接続するネットワークの一例であるＬＡＮ７と、ソフトウエア無線機４に備えられた電力増幅器５及びアンテナ６から構成されている。
また、本例の無線通信システムには、ＬＡＮ７を介して、通信履歴サーバ３１が接続されて備えられている。
また、本例の無線通信システムには、ＬＡＮ７を介して、他のシステム３２が接続されている。
【００１８】
ここで、本例では、図１に示されるようなシステム（本例では、図１に示される全て）が定期航路などの船舶（移動体の一例）に設置されており、複数の船舶のそれぞれ毎に同様なシステムが設置されている。本例では、各船舶を無線通信の各拠点とし、複数の拠点の間で音声やメールのデータを無線により通信することが可能である。
また、本例では、管理端末装置１は管理者となるユーザ（人）により操作され、各通信端末装置Ａ１〜Ａ３は音声やメールを通信するユーザ（人）により操作される。
【００１９】
管理端末装置１は、無線機情報ファイル１１と、無線機使用状況ファイル１２と、端末情報ファイル１３をメモリに記憶している。
メールサーバ２は、電子メールファイル２１をメモリに記憶する機能を有している。
通信ソフトウエアサーバ３は、複数であるｎ個の異なる機能のそれぞれについて通信ソフトウエアＢ１〜Ｂｎをメモリに記憶している。具体例として、メールＡ用通信ソフトウエアＢ１や、音声Ｂ用通信ソフトウエアＢ２などがある。
【００２０】
ソフトウエア無線機４は、通信ソフトウエアサーバ３からＬＡＮ７を介して提供される通信ソフトウエアＣ１、Ｃ２をメモリに記憶する機能を有している。本例のソフトウエア無線機４では、２つのチャネル（ＣＨ）分の通信ソフトウエアＣ１、Ｃ２を記憶する。
各通信端末装置Ａ１〜Ａ３は、端末プログラムＤ１〜Ｄ３をメモリに記憶している。端末プログラムとしては、例えば、電子メールに関する処理を実行する端末プログラムＤ２や、音声通信に関する処理を実行する端末プログラムＤ１、Ｄ３などがある。
【００２１】
通信履歴サーバ３１は、通信履歴記憶部４１を有している。
他のシステム３２は、種々な機能を有しており、本例では、位置時刻情報取得部５１と、ダクト情報取得部５２と、気象情報取得部５３を有している。
なお、本例では、他のシステム３２としては、例えば、本例の無線通信システム（図１に示される他のシステム３２以外の部分）と接続されて一体とされた構成例を示すが、他の構成例として、他のシステム３２として、本例の無線通信システム（図１に示される他のシステム３２以外の部分）とは分離したシステムが用いられてもよく、この場合、本例の無線通信システム（管理端末装置１や通信履歴サーバ３１など）と他のシステム３２との間の通信として無線通信を用いることもできる。
【００２２】
本例の無線通信システムの構成を詳しく説明する。
管理端末装置１は、無線機情報ファイル１１を作成及び保存する機能と、無線機使用状況ファイル１２を管理する機能と、ソフトウエア無線機４の制御及び状態表示を行う機能を有している。
図２には、無線機情報ファイル１１の情報内容の一例を示してある。
本例の無線機情報ファイル１１では、無線通信システムで使用する無線機情報として、無線名と、無線通信システムで使用する運用方式と、使用するバンドと、使用する周波数と、使用する変調方式と、使用する送信出力が対応付けられて格納されている。運用方式は、ソフトウエア無線機４により通信するときに必要な通信ソフトウエアＣ１、Ｃ２を起動する際に用いられる情報である。無線名は、「運用方式、バンド、周波数、変調方式、送信出力」等の組み合わせ毎に、入力者により任意に付けられる名称である。
【００２３】
図３には、無線機使用状況ファイル１２の情報内容の一例を示してある。
本例の無線機使用状況ファイル１２では、ソフトウエア無線機番号と、チャネル番号（ＣＨ番号）と、設定済み無線名と、端末使用状況が対応付けられて格納されている。
例えば、ソフトウエア無線機番号が「１−１」であるソフトウエア無線機４のＣＨ番号「１」には、無線名「メールＡ１」が設定されており、メールサーバＡ（メールサーバ５）に使用許可が与えられている状況となっている。また、ソフトウエア無線機番号が「１−１」であるソフトウエア無線機４のＣＨ番号「２」には、無線名「音声Ｂ２」が設定されており、通信端末装置Ａ１に使用許可が与えられている状況となっている。
端末情報ファイル１３は、各通信端末装置Ａ１〜Ａ３などに関する情報を格納する。
【００２４】
また、管理端末装置１は、ソフトウエア無線機４に対する制御を行う。例えば、ソフトウエア無線機１−１（ソフトウエア無線機４）のＣＨ１を無線名「音声Ｂ２」として機能させたい場合には、無線名「音声Ｂ２」に該当する無線機情報と、ＣＨ１への設定をソフトウエア無線機４に通知する。
また、管理端末装置１は、ソフトウエア無線機４の状態表示を行う。この表示の内容としては、例えば、各チャネルに設定されている無線名や、送信中であることや、受信中であること、などがある。
【００２５】
ソフトウエア無線機４は、管理端末装置１からの制御に応じて、無線機の機能として必要な通信ソフトウエアＣ１、Ｃ２をチャネル毎にＬＡＮ７を介して通信ソフトウエアサーバ３から取得（ダウンロード）して記憶し、記憶した通信ソフトウエアＣ１、Ｃ２を起動することで、チャネル毎に無線機として機能して無線通信を行う。
例えば、図１では、ソフトウエア無線機４のチャネル１（ＣＨ１）は運用方式「メールＡ１」として動作しており、チャネル２（ＣＨ２）は運用方式「音声Ｂ２」として動作している。該当するチャネルのバンド、周波数、変調方式等の設定は、無線名による。
ソフトウエア無線機４は、送信対象となる信号を電力増幅器５へ出力することで当該信号を電力増幅器５により増幅してアンテナ６から無線により送信し、アンテナ６により無線受信された信号を電力増幅器５を介して入力する。
【００２６】
各通信端末装置Ａ１〜Ａ３は、通信端末装置上で動作させる端末プログラムＤ１〜Ｄ３に応じて機能する。
通信端末装置Ａ１、Ａ３では、音声通信機能を有する端末プログラムＤ１、Ｄ３が動作させられることで、音声データを送受信する処理を行う。具体例としては、通信端末装置Ａ１、Ａ３では、ＬＡＮ７を介して管理端末装置１から受信した端末情報ファイル１３の内容を選択画面として表示し、人（ユーザ）により或いは自動的に使用する無線名が選択されて、ＬＡＮ７を介してソフトウエア無線機４の該当チャネル（選択されたもの）との間で音声データを送受信することにより、音声通信端末として機能する。本例では、別の拠点のシステムに備えられた他の通信端末装置などとの間で音声による会話を行うことができる。
【００２７】
図４には、端末情報ファイル１３の情報内容の一例を示してある。
本例の端末情報ファイル１３では、無線名と、使用状況と、端末プログラム名が対応付けて格納されている。例えば、無線名「メールＡ１」については、使用状況が「設定済み」であり、端末プログラム名が「ＡＡＡＡＡＡＡ．ｅｘｅ」である。
ここで、端末プログラム名により特定される端末プログラムは、通信端末装置Ａ１〜Ａ３に搭載されるプログラムである。例えば、各通信端末装置Ａ１〜Ａ３毎に１つ以上の端末プログラムが搭載される。端末プログラムとしては、種々なものが用いられてもよく、例えば、音声を送受信するプログラムや、音声を聞く（受信する）だけのプログラムや、メールを通信するプログラムなどがある。
【００２８】
図５には、音声通信を行う通信端末装置Ａ１、Ａ３における無線名の選択画面の一例を示してある。
本例の選択画面では、無線名と使用状況が対応付けられて表示される。
ここで、使用状況の「設定済み」は、現在においてソフトウエア無線機４で動作している無線名を表しており、また、使用状況の「使用可」は、ソフトウエア無線機４に設定することが可能な無線名を表している。つまり、「設定済み」の無線名はすぐに使用できる状態にあり、「使用可」の無線名はソフトウエアの更新により使用できる状態となる。
【００２９】
通信端末装置Ａ２では、電子メール送受信機能を有する端末プログラムＤ２が動作させられることで、メールサーバ２との間で電子メールを送受信する処理などを行う。具体的には、電子メールの作成や送信に使用する無線名を選択する機能や、送信操作を行う機能や、受信された電子メールの内容を表示する機能などを有している。
例えば、通信端末装置Ａ２では、ＬＡＮ７を介して管理端末装置１から受信した端末情報ファイル１３の内容を選択画面として表示し、人（ユーザ）により或いは自動的に使用する無線名が選択されて、メール通信端末として機能する。
【００３０】
図６には、電子メール通信を行う通信端末装置Ａ２における無線名の選択画面の一例を示してある。
本例の選択画面では、無線名が表示される。なお、メールについてはメールサーバ２を介して通信されるため、本例では、図５に示されるような使用状況については表示されない。
各無線名のメールの機能としては、種々なものが用いられてもよく、例えば、通常の電子メール通信の機能や、或いは、電子メールに添付する画像情報を自動的に圧縮するアプリケーションが付いている機能などを用いることができる。
【００３１】
メールサーバ２は、通信端末装置Ａ１〜Ａ３からの電子メールを受信する機能と、通信端末装置Ａ１〜Ａ３への電子メールを送信する機能と、別の拠点への電子メールを送信する機能と、別の拠点からの電子メールを受信する機能を有している。
通信端末装置Ａ１〜Ａ３からの電子メールを受信する機能では、通信端末装置Ａ１〜Ａ３で作成された電子メールを受信する。アプリケーションプロトコルとしては、例えば、一般的なＳＭＴＰ（Ｓｉｍｐｌｅ  Ｍａｉｌ  Ｔｒａｎｓｆｅｒ  Ｐｒｏｔｏｃｏｌ）を使用することができる。
通信端末装置Ａ１〜Ａ３への電子メールを送信する機能では、通信端末装置Ａ１〜Ａ３からの要求に応じて、該当するユーザ宛ての電子メールを通信端末装置Ａ１〜Ａ３へ送信する。アプリケーションプロトコルとしては、例えば、一般的なＰＯＰ（Ｐｏｓｔ  Ｏｆｆｉｃｅ  Ｐｒｏｔｏｃｏｌ）を使用することができる。
【００３２】
別の拠点への電子メールを送信する機能では、例えば、別の拠点に設置されている次の転送先となるメールサーバ宛てに、ソフトウエア無線機４を介して、電子メールを送信する。アプリケーションプロトコルとしては、例えば、一般的なＳＭＴＰを使用することができる。
別の拠点からの電子メールを受信する機能では、例えば、別の拠点に設置されているメールサーバから送信された電子メールを受信して保存する。アプリケーションプロトコルとしては、例えば、一般的なＳＭＴＰを使用することができる。
【００３３】
図７には、管理端末装置１により無線機情報を作成して、通信端末装置Ａ１〜Ａ３により音声通信を開始する際の処理フローの一例を示してある。なお、ここでは音声通信を例として説明するが、メール通信についても概略的には同様である。
本例では、通信ソフトウエアサーバ３と、ソフトウエア無線機１−ｍ（図１に示されるソフトウエア無線機４に相当するもの）と、管理端末装置１と、通信端末装置Ａｐ（図１に示される通信端末装置Ａ１〜Ａ３に相当するもの）により行われる処理を例として説明する。
【００３４】
管理端末装置１では、例えばユーザ（人）により或いは自動的に無線機情報を作成して、それを無線機情報ファイル１１に保存する（処理Ｔ１）。
管理端末装置１では、例えばユーザなどからの指示に応じて或いは自動的に、通信に使用する無線機情報を決定する（処理Ｔ２）。例えば、初期設定では、ユーザにより、通信に使用する無線機情報が決定される。また、通信端末装置からの要求（指示）により音声通信に使用する無線機情報が決定される態様や、或いは、メールサーバ２からの要求（指示）によりメール通信に使用する無線機情報が決定される態様を用いることもできる。
【００３５】
管理端末装置１は、ソフトウエア無線機１−ｍに対して、無線機情報とチャネル番号を指示する（処理Ｔ３）。
ソフトウエア無線機１−ｍは、管理端末装置１からの指示に従って、通信ソフトウエアサーバ３から必要な通信ソフトウエアをダウンロードして取得し（処理Ｔ４）、このダウンロードが完了すると、ダウンロードを完了して該当する無線機能の準備が完了したことを管理端末装置１へ通知する（処理Ｔ５）。
【００３６】
なお、必要な通信ソフトウエアが既にソフトウエア無線機１−ｍに格納されている場合には、ダウンロードは不要である。
また、例えば、通信ソフトウエアとしてはプログラムのみが用いられ、そのパラメータとして図２に示されるような無線機情報が用いられる。
このように、本例では、通信ソフトウエアサーバ３から通信ソフトウエアＢ１〜Ｂｎをソフトウエア無線機１−ｍ（ソフトウエア無線機４）にダウンロードすることで通信することが可能となるが、他の構成が用いられてもよい。
【００３７】
管理端末装置１は、端末情報ファイル１３を各通信端末装置Ａｐへ送信する（処理Ｔ６）。
通信端末装置Ａｐでは、使用することを希望する無線名を選択する（処理Ｔ７）。なお、この選択は、例えば、ユーザが所望の無線名を選んで、選択ボタンをクリックすることにより行われる。
通信端末装置Ａｐは、使用を希望する無線名を管理端末装置１へ通知する（処理Ｔ８）。
通信端末装置Ａｐは、端末情報ファイル１３内に記述されている該当する端末プログラムを起動する（処理Ｔ９）。これにより、音声通信が開始され（処理Ｔ１０）、例えば、ソフトウエア無線機１−ｍを介して、ある拠点と別の拠点との間で音声通信が可能となる。
【００３８】
このように、本例では、通信端末装置Ａ１〜Ａ３は、ＬＡＮ７を介してソフトウエア無線機４と接続することで、音声通信を行うことができる。
また、本例では、通信端末装置Ａ１〜Ａ３は、ＬＡＮ７を介してメールサーバ２と接続することで、ソフトウエア無線機４を介して電子メールの送受信を行うことができる。
【００３９】
以下で、更に、本例の無線通信システムについて説明する。
本例では、通信履歴サーバ３１の通信履歴記憶部３１に通信履歴を保存する機能を有している。通信履歴の保存は、管理端末装置１などにより（自動的に）行われる。例えば、管理端末装置１において、図７に示す音声通話の開始と同時に通信履歴として保存すべき情報（後述）の取得を開始し、その後定期的（例えば何分毎、あるいは何秒毎など）に保存処理を行う。通信履歴の保存は、例えば、全ての通信について行われてもよく、或いは、人による指示に応じて行われてもよく、或いは、予め設定された条件に合致する通信についてのみ行われてもよい。
【００４０】
図８には、通信履歴の情報内容の一例を示してある。
本例の通信履歴では、無線機情報、日付、時刻、拠点位置、相手位置、気象、ダクト情報、通信状態が対応付けられて格納される。また、他の情報が用いられてもよい。
また、図８には、１回分の通信履歴のみを示してあるが、複数回分の通信履歴が記憶される。
【００４１】
ここで、通信履歴における各データの設定例を示す。
無線機情報としては、ソフトウエア無線機４に設定されている無線名に対応した無線機情報が保存される。
日付としては、管理端末装置１により管理される日付（本例では、年、月、日）が保存される。
時刻としては、管理端末装置１により管理される時刻（本例では、時、分）が保存される。
【００４２】
なお、日付及び時刻は、現在の通信状況を通信履歴に記録する際には現在の日付及び時刻となり、過去の通信履歴となったときにはその過去の通信時における日付及び時刻を表す。
また、日付及び時刻としては、例えば、他のシステム３２の位置時刻情報取得部５１により取得される情報に基づいて決定されてもよい。
【００４３】
拠点位置としては、自己の拠点の位置（本例では、経度、緯度、高度）が保存される。本例では、拠点位置の情報は、他のシステム３２の位置時刻情報取得部５１からＬＡＮ７を介して取得され、或いは、人により手入力で設定される。
相手位置としては、通信相手の拠点の位置（本例では、経度、緯度、高度）の情報が保存される。本例では、相手位置の情報は、通信の開始時に無線を介してデータとして取得され、或いは、音声により互いの位置情報を交換して保存されてもよい。
【００４４】
気象としては、天候（例えば、晴れ、曇り、など）や、気温や、湿度が保存される。気象の情報は、他のシステム３２の気象情報取得部５３からＬＡＮ７を介して取得され、或いは、人により手入力で設定される。
ダクト情報としては、ダクト伝播の有無が保存される。ダクト情報は、他のシステム３２のダクト情報取得部５２からＬＡＮ７を介して取得され、或いは、人により手入力で設定される。
通信状態としては、通信の状態が保存される。通信の状態としては、例えば、操作員（人）の主観により良好或いは不良を選択して保存することや、又は、一定時間内に発生したデータの再送回数若しくはパケット抜けの回数を保存するようなこともできる。
【００４５】
他のシステム３２において、位置時刻情報取得部５１は、ＧＰＳ（Ｇｌｏｂａｌ  Ｐｏｓｉｔｉｏｎｉｎｇ  Ｓｙｓｔｅｍ）の機能を有しており、自己の拠点の位置の情報を取得する。自己の拠点の位置が変化した場合には、その位置情報も変化する。
また、他の拠点の位置の情報は、例えば、他の拠点との間で無線通信を行うことにより受信して検出する。
他の構成例として、定期航路のように各拠点がそれぞれの日付及び時刻にいずれの位置に存在するかが定められている場合には、その情報（航路の予定の情報）に基づいて自己の拠点の位置や他の拠点の位置を検出することも可能である。
また、位置時刻情報取得部５１は、時刻を計時する時計の機能又はＧＰＳの機能により、時刻の情報を取得する。
【００４６】
気象情報取得部５３は、例えば、自己の拠点の周囲の位置に関する気象の情報を無線受信して取得する。このような気象情報は、通常、第三者により無線配信されており、それを利用することも可能である。
ダクト情報取得部５２は、例えば、ダクトが発生したか否かの情報を無線受信して取得する。このようなダクト情報は、例えば他の拠点からの無線配信により取得することができる。
【００４７】
本例の管理端末装置１は、例えばキーワードを用いて、通信履歴サーバ３１のデータベース（通信履歴記憶部３１）の中から無線機情報を検索する機能を有している。
図９には、検索キーワードの一例を示してある。検索キーワードは、例えば、管理端末装置１のユーザにより手入力される。
本例の検索キーワードでは、日付や、時刻や、相手位置や、天候を設定することが可能である。また、他の情報がキーワードとして用いられてもよい。
【００４８】
本例では、日付としては、基準日（何年何月何日）から前後何日以内であるかを特定する情報が用いられている。
時刻としては、基準時間（何時何分）から前後何時間（何分まで設定されてもよい）以内であるかを特定する情報が用いられている。
相手位置としては、基準位置（例えば、自己の拠点の位置）から半径何キロ以内であるかを特定する情報が用いられている。
天候としては、晴れや曇りなどを特定する情報が用いられている。
なお、検索キーワードとしては、本例の態様に限られず、例えば、通信履歴の情報内容の内の１つ以上の要素を指定することができる。
【００４９】
図１０には、無線機情報の検索結果の一例を示してある。
本例の検索結果では、例えば、図９に示されるような検索キーワードの条件に合致する無線機情報が図８に示されるような通信履歴から検索された結果として、無線名と運用方式とバンドと周波数と変調方式と送信出力と通信状態の対応が、検索された無線名の数だけ管理端末装置１の画面に表示されている。
ユーザは、このような検索結果を参照して、検索結果を参考にして無線機情報を作成することや、或いは、検索結果の中のいずれかの無線機情報をそのまま使用することや、或いは、検索結果の中のいずれかの無線機情報を書き換えて使用することなどが可能である。
【００５０】
具体例として、図７に示される処理Ｔ１において、ユーザは、これから通信を行う場合に、そのときと同様な日付や時刻や相手位置や天候などのキーワードを入力して、それに合致する過去の無線機情報を通信履歴の中から検索する。そして、ユーザは、その検索結果に基づいて、これから行う通信に使用する無線機情報を作成する、或いは、その検索結果の中で通信状態が良好な無線機情報（例えば、最も良好と思われる無線機情報）をそのまま使用してもよい。図７に示される処理Ｔ２において、ユーザは、作成した無線機情報或いはそのまま使用することとした無線機情報を選択する。
また、このようにして無線機情報を決定した後に、周波数や、送信出力等の変更が生じた場合においても、その変更後の情報を通信履歴として保存しておくことで、その後の通信に役立てることができる。
【００５１】
他の構成例として、管理端末装置１などが検索結果の中から通信状態が良好である無線機情報（或いは、予め設定された条件に基づいて最も良いと判定される無線機情報）を（自動的に）決定して、これからの通信に使用することも可能である。この場合、過去に使用した最適な無線機情報を使用するように決定することができる。
また、本例では、管理端末装置１において通信履歴に対する検索や検索結果の表示を行ったが、例えば、これらの処理が通信端末装置Ａ１〜Ａ３などにより行われてもよい。また、無線機情報が通信端末装置Ａ１〜Ａ３などにより作成されてもよい。
【００５２】
以上のように、本例の無線通信システムでは、過去の通信履歴に基づいて無線機情報の候補を示し、その中から適切な無線機情報を決定することができる。
従って、例えば、通信端末装置Ａ１〜Ａ３が日付や時刻や位置や天候などのデータベースを基にソフトウエア無線機４のチャネルを使用して音声や電子メールの送受信を行うに際して、移動体（本例では、船舶）の位置情報などに基づいて、最適な周波数や送信出力などの無線機情報を設定することができる。
【００５３】
ここで、本例の無線通信システムでは、例えば、通信の開始後に、フィードバック制御により、自動的に送信出力を変更するようなことも可能である。一例として、通信のエラー（例えば、誤り率）を検出して、そのエラーを減らすように出力レベルを上げるようなことが可能である。また、同様に、混線状態を検出して、混線を回避するように、無線通信に使用する周波数帯を変更するようなことが可能である。
【００５４】
また、例えば、通信端末装置Ａ１〜Ａ３において、通信履歴サーバ３１の通信履歴記憶部４１に記憶された通信履歴を画面に表示させてユーザにより見て、ユーザの操作により、所望の無線機情報などを直接的にソフトウエア無線機４に設定するようなことが可能である。
また、例えば、管理端末装置１が、リアルタイムに、現在の通信状況（例えば、通信履歴として記憶される要素の内の１つ以上の要素に関する情報）を検出して、その検出結果に適した無線機情報を通信履歴の中から検出してソフトウエア無線機４に設定して現在の通信で使用するようなことも可能である。
【００５５】
なお、本例の無線通信システムでは、管理端末装置１はソフトウエア無線機４に対して無線通信方式の情報（本例では、無線機情報）を設定する手段（通信方式設定手段）を備えており、ソフトウエア無線機４は各チャネルの無線機情報を使用して他の拠点のシステムの装置と無線通信する手段（無線通信手段）を備えており、通信端末装置Ａ１〜Ａ３はソフトウエア無線機４（メール通信では、メールサーバ２とソフトウエア無線機４）を介して他の拠点のシステムの装置と通信する手段（通信手段）を備えている。
【００５６】
また、本例の無線通信システムでは、管理端末装置１により通信状況の情報（例えば、日付、時刻、通信相手から受信される相手位置、ユーザにより入力される通信状態）を検出する機能や、他のシステム３２に設けられた位置時刻情報取得手段５１やダクト情報取得部５２や気象情報取得部５３の機能により通信状況の情報（例えば、拠点位置、時刻、ダクト、気象）を検出する機能により、通信状況検出手段が構成されている。
また、本例の無線通信システムでは、例えば管理端末装置１による制御により通信履歴サーバ３１に設けられた通信履歴記憶部４１に通信履歴情報を記憶する機能により通信履歴記憶手段が構成されており、管理端末装置１や通信端末装置Ａ１〜Ａ３により通信履歴記憶部４１に記憶された通信履歴情報を検索する機能により検索手段が構成されており、管理端末装置１や通信端末装置Ａ１〜Ａ３により通信履歴情報の検索結果に基づく処理を行う機能により検索結果処理手段が構成されている。
【００５７】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００５８】
【図１】本発明の一実施例に係る無線通信システムの構成例を示す図である。
【図２】無線機情報ファイルの一例を示す図である。
【図３】無線機使用状況ファイルの一例を示す図である。
【図４】端末情報ファイルの一例を示す図である。
【図５】通信端末装置（音声通信）の無線名選択画面の一例を示す図である。
【図６】通信端末装置（電子メール）の無線名選択画面の一例を示す図である。
【図７】管理端末装置による無線機情報の作成及び通信端末装置による音声通信の開始のためのフローの一例を示す図である。
【図８】通信履歴の一例を示す図である。
【図９】検索キーワードの一例を示す図である。
【図１０】検索結果の一例を示す図である。
【図１１】無線通信システムの構成例を示す図である。
【符号の説明】
【００５９】
１・・管理端末装置、  ２・・メールサーバ、  ３・・通信ソフトウエアサーバ、  ４・・ソフトウエア無線機、  ５・・電力増幅器、  ６・・アンテナ、  ７・・ＬＡＮ、  １１・・無線機情報ファイル、  １２・・無線機使用状況ファイル、  １３・・端末情報ファイル、  ２１・・電子メールファイル、  ３１・・通信履歴サーバ、  ３２・・他のシステム、  ４１・・通信履歴記憶部、  ５１・・位置時刻情報取得部、  ５２・・ダクト情報取得部、  ５３・・気象情報取得部、  Ａ１〜Ａ３・・通信端末装置、  Ｂ１〜Ｂｎ、Ｃ１、Ｃ２・・通信ソフトウエア、  Ｄ１〜Ｄ３・・端末プログラム、
【図１】
2009005063.tif 000003
【図２】
2009005063.tif 000004
【図３】
2009005063.tif 000005
【図４】
2009005063.tif 000006
【図５】
2009005063.tif 000007
【図６】
2009005063.tif 000008
【図７】
2009005063.tif 000009
【図８】
2009005063.tif 000010
【図９】
2009005063.tif 000011
【図１０】
2009005063.tif 000012
【図１１】
2009005063.tif 000013